(57)【特許請求の範囲】
【請求項１】
画面付き端末を台座に固定する端末固定装置であって、
本体と、
前記本体に設けられ、前記画面付き端末を取り付けるための端末取付部と、
前記本体を貫通するシャフトと、
前記シャフトの一方端に設けられ、前記台座を前記本体とで挟むための台座挟持片と、
前記シャフトと前記台座挟持片を前記本体の方向に押圧するシャフトバネと、
前記シャフトの他方端に設けられ、前記他方端を前記シャフトバネの力に抗して前記本体に近づけるために把持される第１把持部と、
前記本体に設けられ、前記他方端と前記第１把持部を前記シャフトバネの力に抗して前記本体に近づけるために前記第１把持部とともに把持される第２把持部と
を備えることを特徴とする端末固定装置。
【請求項２】
前記本体は、
筐体と、
前記端末取付部に接続され、前記筐体の内部まで貫通する軸と、
前記筐体の内部空間において前記軸に接続され、前記軸を前記端末取付部の方向に押圧する内部バネと、
前記筐体の内部空間において前記軸に接続され、前記内部バネが前記軸を押圧した際に前記筐体の内部面に当接する一方、前記内部バネの力に抗して前記端末取付部が前記筐体の方向に押圧された際に前記内部面から離間するストッパと
を備えることを特徴とする請求項１記載の端末固定装置。
【発明の詳細な説明】
【技術分野】
【０００１】
本発明は、画面付き端末の画面を見て行う作業を行いやすくする技術に関する。
【背景技術】
【０００２】
電話局内では、通信配線や電気配線の結線や検査が行われる。これらの作業は、従来では書面に描かれた設計図に記載された情報を見て行うことが一般的である。
【０００３】
ところが近年では、画面付き端末（例えば、スマートフォン）の画面に情報を表示させ、画面を見て行うようになった。
【０００４】
例えば、作業者は、画面付き端末をストラップにより首から下げ、情報を見たいときは、画面付き端末を持ち、画面を見る。
【先行技術文献】
【非特許文献】
【０００５】
【非特許文献１】iPhone5、［ｏｎｌｉｎｅ］、Apple Japan、［平成２５年６月１７日検索］、インターネット＜ＵＲＬ：http://www.apple.com/jp/iphone/＞
【発明の概要】
【発明が解決しようとする課題】
【０００６】
しかし、作業で両手を使う場合には、画面付き端末から手を離さなければならず、画面を見ることができないので、不便である。また、情報を見比べながら作業をすることができないので、記憶に頼らざるを得ず、作業ミスの可能性が高まる。
【０００７】
電話局内での作業に限らず、画面付き端末の画面を見ながら行う作業には、同様の不都合が生じる。
【０００８】
本発明は、上記の課題に鑑みてなされたものであり、その目的とするところは、画面付き端末の画面を見て行う作業を行いやすくする技術を提供することにある。
【課題を解決するための手段】
【０００９】
上記の課題を解決するために、本発明は、画面付き端末を台座に固定する端末固定装置であって、本体と、前記本体に設けられ、前記画面付き端末を取り付けるための端末取付部と、前記本体を貫通するシャフトと、前記シャフトの一方端に設けられ、前記台座を前記本体とで挟むための台座挟持片と、前記シャフトと前記台座挟持片を前記本体の方向に押圧するシャフトバネと、前記シャフトの他方端に設けられ、前記他方端を前記シャフトバネの力に抗して前記本体に近づけるために把持される第１把持部と、前記本体に設けられ、前記他方端と前記第１把持部を前記シャフトバネの力に抗して前記本体に近づけるために前記第１把持部とともに把持される第２把持部とを備えることを特徴とする。
【００１０】
例えば、前記本体は、筐体と、前記端末取付部に接続され、前記筐体の内部まで貫通する軸と、前記筐体の内部空間において前記軸に接続され、前記軸を前記端末取付部の方向に押圧する内部バネと、前記筐体の内部空間において前記軸に接続され、前記内部バネが前記軸を押圧した際に前記筐体の内部面に当接する一方、前記内部バネの力に抗して前記端末取付部が前記筐体の方向に押圧された際に前記内部面から離間するストッパとを備える。
【発明の効果】
【００１１】
本発明の端末固定装置によれば、画面付き端末の画面を見て行う作業を行いやすくすることができる。
【図面の簡単な説明】
【００１２】
【図１】本実施の形態に係る端末固定装置の斜視図である。
【図２】端末取付部１２の構造を示す斜視図である。
【図３】図３（ａ）は、本体１１の構造を示す一部断面図であり、図３（ｂ）は、図３（ａ）における符号Ｄの部分の状態変化後を示す図である。
【発明を実施するための形態】
【００１３】
以下、本発明の実施の形態について図面を参照して説明する。
【００１４】
図１に示すように、端末固定装置１は、画面２１を有する画面付き端末２を台座３に固定するものである。端末固定装置１は、本体１１と、本体１１に設けられ、画面付き端末２を取り付けるための端末取付部１２と、本体１１を貫通するシャフト１３、１３と、各シャフト１３の一方端１３Ａに設けられ、台座３を本体１１のパッド１１Ａと自身のパッド１４Ａで挟むための台座挟持片１４と、各シャフト１３と台座挟持片１４を本体１１の方向に押圧するシャフトバネ１５、１５と、各シャフト１３の他方端１３Ｂに設けられ、各他方端１３Ｂを各シャフトバネ１５の力に抗して本体１１に近づけるために把持される第１把持部１６と、本体１１に設けられ、各他方端１３Ｂと第１把持部１６をシャフトバネ１５の力に抗して本体１１に近づけるために第１把持部１６とともに把持される第２把持部１７とを備える。パッド１１Ａ、１４Ａは、例えばゴムである。画面付き端末２は、例えば、スマートフォンと称されるものである。
【００１５】
本体１１は、例えば、金属板を組み合わせ、ボルトとナットで固定したものであり、内部に空間を有する。
【００１６】
第２把持部１７は、例えば、樹脂片をリング状に曲げ、これをボルトで本体１１に固定したものである。
【００１７】
例えば、台座挟持片１４には、シャフトバネ１５を止めるためのボルトＢとナットＮが設けられる。また、本体１１には、内部空間を渡すように支柱１１Ｂが設けられる。シャフトバネ１５の一方端はこのボルトＢに引っ掛けられ、他方端は支柱１１Ｂに引っ掛けられ、こうしてシャフトバネ１５が配置される。
【００１８】
例えば、シャフト１３の一方端１３Ａの端面には雌ねじ（図示せず）が形成され、台座挟持片１４には、この雌ねじに螺合するボルト用の孔（図示せず）が形成される。この孔に入れたボルトＢを雌ねじに螺合させ、締め付けることで、台座挟持片１４はシャフト１３の一方端１３Ａに固定される。
【００１９】
例えば、第１把持部１６は、シャフト１３の他方端１３Ｂに接続される棒状部材１６Ａと、棒状部材１６Ａの一部周囲に巻かれた把持部材１６Ｂとを備える。
【００２０】
シャフト１３の他方端１３Ｂの端面には雌ねじ（図示せず）が形成され、棒状部材１６Ａには、この雌ねじに螺合するボルト用の孔（図示せず）が形成される。この孔に入れたボルトＢを雌ねじに螺合させ、締め付けることで、棒状部材１６Ａはシャフト１３の他方端１３Ｂに固定される。
【００２１】
端末取付部１２は、取付部１２Ａ、１２Ｂを備え、これらで画面付き端末２を挟持するようになっている。
【００２２】
台座３は、端末固定装置１を台座挟持片１４により固定するためのものであり、例えば作業環境にある既存の構造物である。台座３は特別なものである必要はなく、画面付き端末２を作業者が作業中にみやすい位置に固定できるものであればよい。
【００２３】
作業者は、画面付き端末２を台座３に固定する際、第１把持部１６の把持部材１６Ｂを例えば左手の手のひらに包み込み、第２把持部１７に左手の人差し指を差し入れ、左手を握る。
【００２４】
これにより、各他方端１３Ｂと第１把持部１６は、各シャフトバネ１５の力に抗して本体１１に近づく。各シャフトバネ１５は延び、台座挟持片１４は本体１１から離れる。
【００２５】
作業者は、例えば、パッド１４Ａとパッド１１Ａの距離が、台座３の厚さ３Ａを超えたなら、パッド１４Ａ、１１Ａを台座３の両側に配置し、左手の握りを緩める。
【００２６】
これにより、各シャフトバネ１５は縮み、パッド１４Ａ、１１Ａが台座３を挟み込む。各シャフトバネ１５は、パッド１４Ａ、１１Ａを台座３に押圧するので、端末固定装置１は外れにくく、すなわち、端末固定装置１が台座３に固定される。
【００２７】
次に、作業者は、端末取付部１２に画面付き端末２を取り付ける。例えば、作業者は、取付部１２Ｂを取付部１２Ａから離すようにして押し広げる。そして、その間に画面付き端末２を置き、力を緩める。すると、端末取付部１２に予め設けられたバネ構造により、移動した取付部１２Ｂが元の位置に戻る力が働き、取付部１２Ａ、１２Ｂに貼り付けたパッド（ウレタンなど）で、画面付き端末２が挟持される。なお、画面付き端末２の取り付けを先に行ってもよい。
【００２８】
このように、端末固定装置１によれば、画面付き端末２を台座３に固定できる。よって、両手を離しても、画面２１を見ることができ、そのような作業を行いやすくすることができる。
【００２９】
また、図２に示すように、端末取付部１２は、そのヒンジ構造１２Ｃによって、矢印Ａで示すように向きを変えられる。また、端末取付部１２は、矢印Ｂで示すようにも動かすことができる。
【００３０】
また、端末取付部１２は、矢印Ｃで示すようにも動かせることができ、所望の姿勢が得られたら、その姿勢を維持することができる。これを図３を用いて説明する。
【００３１】
図３（ａ）に示すように、本体１１は、筐体１１１と、端末取付部１２に接続され、筐体１１１の内部まで貫通する軸１１２と、筐体の内部空間において軸１１２に接続され、軸１１２を端末取付部１２の方向に押圧する内部バネ１１３と、筐体の内部空間において軸１１２に接続され、内部バネ１１３が軸１１２を押圧した際に筐体の内部面１１４を構成するパッド１１４Ａに当接する一方、内部バネ１１３の力に抗して端末取付部１２が筐体１１１の方向に押圧された際に内部面１１４のパッド１１４Ａから離間するストッパ１１５とを備える。パッド１１４Ａ、ストッパ１１５は、例えば円盤状のゴムである。
【００３２】
図３（ａ）は、作業者が端末取付部１２に手をかけていない、つまり筐体１１１の方向（図で下方向）に押圧していない状態を示す。内部バネ１１３は軸１１２を、図で上方向に押圧するので、ストッパ１１５は、パッド１１４Ａ（内部面）に当接する。よって、ストッパ１１５とパッド１１４Ａの間に摩擦力が生じ、端末取付部１２は、図２の矢印Ｃの方向には動かない。
【００３３】
一方、図３（ｂ）は、作業者が、内部バネ１１３の力に抗して、端末取付部１２を筐体１１１の方向（図で下方向）に押圧している状態を示す。内部バネ１１３は縮み、接続された軸１１２およびストッパ１１５は押圧方向（図で下方向）に移動する。これにより、ストッパ１１５は、パッド１１４Ａ（内部面）から離間する（離れる）。よって、ストッパ１１５とパッド１１４Ａの間の摩擦力が消滅し、端末取付部１２は、図２の矢印Ｃの方向に動くようになる。
【００３４】
このように、端末取付部１２が動くようになったなら、作業者は、端末取付部１２を筐体１１１の方向（図で下方向）に押圧しながら、端末取付部１２を矢印Ｃの方向に動かし、所望の姿勢を得る。
【００３５】
所望の姿勢が得られたら、作業者は、端末取付部１２の押圧を解除する。これにより、再び摩擦力が生じ、所望の姿勢が維持される。
【００３６】
以上のように、端末固定装置１は、本体１１と、本体１１に設けられ、画面付き端末２を取り付けるための端末取付部１２と、本体１１を貫通するシャフト１３、１３と、各シャフト１３の一方端１３Ａに設けられ、台座３を本体１１とで挟むための台座挟持片１４と、各シャフト１３と台座挟持片１４を本体１１の方向に押圧するシャフトバネ１５、１５と、各シャフト１３の他方端１３Ｂに設けられ、各他方端１３Ｂを各シャフトバネ１５の力に抗して本体１１に近づけるために把持される第１把持部１６と、本体１１に設けられ、各他方端１３Ｂと第１把持部１６をシャフトバネ１５の力に抗して本体１１に近づけるために第１把持部１６とともに把持される第２把持部１７とを備えるので、画面付き端末２を台座３に固定でき、画面付き端末２の画面２１を見て行う作業を行いやすくすることができる。
【００３７】
また、本体１１は、筐体１１１と、端末取付部１２に接続され、筐体１１１の内部まで貫通する軸１１２と、筐体の内部空間において軸１１２に接続され、軸１１２を端末取付部１２の方向に押圧する内部バネ１１３と、筐体の内部空間において軸１１２に接続され、内部バネ１１３が軸１１２を押圧した際に筐体の内部面１１４（パッド１１４Ａ）に当接する一方、内部バネ１１３の力に抗して端末取付部１２が筐体１１１の方向に押圧された際に内部面１１４（パッド１１４Ａ）から離間するストッパ１１５とを備えるので、端末取付部１２を、図２の矢印Ｃで示すように動かすことができ、所望の姿勢が得られたら、その姿勢を維持することができる。また、図２の矢印Ａ、Ｂの方向にも動かせるので、画面２１をどの方向にも向けることができる。
【符号の説明】
【００３８】
１…端末固定装置
２…画面付き端末
３…台座
１１…本体
１２…端末取付部
１３…シャフト
１３Ａ…シャフトの一方端
１３Ｂ…シャフトの他方端
１４…台座挟持片
１５…シャフトバネ
１６…第１把持部
１７…第２把持部
２１…画面
１１１…筐体
１１２…軸
１１３…内部バネ
１１４…内部面
１１５…ストッパ
【図１】
0006055380.tif 000002
【図２】
0006055380.tif 000003
【図３】
0006055380.tif 000004